(57)【特許請求の範囲】
【請求項１】
本物の紙葉類を走査させながら複数の特徴量検出用センサによって紙葉類の特徴量を検出させた場合において、１つの特徴量検出用センサによる特徴量検出値が所定値以上になったときに、他の全ての特徴量検出用センサによる特徴量検出値が所定値以上となるように、これらの特徴量検出用センサを配置しておき、
検査対象の紙葉類を走査させながら、上記のように配置された各特徴量検出用センサによって検査対象の紙葉類の特徴量を検出させ、全ての特徴量検出用センサによる特徴量検出値が同時に所定値以上となれば、当該検査対象の紙葉類を本物であると判定する紙葉類の真偽判定方法。
【請求項２】
本物の紙葉類を走査させながら複数の特徴量検出用センサによって紙葉類の特徴量を検出させた場合において、所定の第１の特徴量検出用センサによる特徴量検出値が所定値以上になるタイミングのうち、所定番目のタイミングにおいて、他の全ての特徴量検出用センサによる特徴量検出値が所定値以上となるように、これらの特徴量検出用センサを配置しておき、
検査対象の紙葉類を走査させながら、上記のように配置された各特徴量検出用センサによって検査対象の紙葉類の特徴量を検出させ、上記第１の特徴量検出用センサによる特徴量検出値が所定値以上になるタイミングのうち、上記所定番目のタイミングにおいて、他の全ての特徴量検出用センサによる特徴量検出値が同時に所定値以上となれば、当該検査対象の紙葉類を本物であると判定する紙葉類の真偽判定方法。
【発明の詳細な説明】
【０００１】
【発明の属する技術分野】
この発明は、紙幣、有価証券等の紙葉類の真偽判定方法に関する。
【０００２】
【従来の技術】
紙幣の真偽判定方法として、検査対象紙幣を走査させながら、所定位置に配された磁気センサ、光センサ等の特徴量検出用センサによって、検査対象紙幣の特徴量をその走査方向にわたってサンプリングし、得られたサンプリングデータと予め作成した基準データとのマッチング度を算出することにより、検査対象紙幣の真偽判定を行う方法が知られている。
【０００３】
しかしながら、ユーザによって手動で検査対象紙幣を走査させるような検査装置では、紙幣の搬送速度が予め定められた基準速度とならない場合がある。また、搬送装置によって自動的に検査対象紙幣を走査させるような検査装置であっても、搬送装置の劣化等によって紙幣の搬送速度が予め定められた基準速度とならない場合がある。
【０００４】
図６において、１は矢印の方向に走査される検査対象紙幣を、Ｌは特徴量検出用センサによって特徴量を検出する走査ラインを示している。
【０００５】
図６（ａ）は、検査対象紙幣の搬送速度（走査速度）が基準速度である場合の特徴量検出用センサの特徴量検出信号波形を、図６（ｂ）は、検査対象紙幣の搬送速度（走査速度）が基準速度より速い場合の特徴量検出用センサの特徴量検出信号波形を、図６（ｃ）は、検査対象紙幣の搬送速度（走査速度）が基準速度より遅い場合の特徴量検出用センサの特徴量検出信号波形を、図６（ｄ）は、検査対象紙幣の搬送速度（走査速度）が途中で変化した場合の特徴量検出用センサの特徴量検出信号波形をそれぞれ示している。
【０００６】
従来においては、紙幣の搬送速度（走査速度）が基準速度である場合を想定して基準データを作成している。このため、紙幣の搬送速度が基準速度と異なる速度になった場合には、特徴量検出用センサの特徴量検出信号波形と基準データとのマッチング度が低くなってしまう。そこで、搬送速度による特徴量検出用センサの特徴量検出信号波形の違いを許容するためには、判定基準を甘くする必要があった。そうすると、精度の高い真偽判定を行うことができなくなる。
【０００７】
【発明が解決しようとする課題】
この発明は、検査対象の紙葉類の走査速度が基準速度と異なっていても、正確な真偽判定が行えるようになる紙葉類の真偽判定方法を提供することを目的とする。
【０００８】
【課題を解決するための手段】
この発明による第１の紙葉類の真偽判定方法は、本物の紙葉類を走査させながら複数の特徴量検出用センサによって紙葉類の特徴量を検出させた場合において、１つの特徴量検出用センサによる特徴量検出値が所定値以上になったときに、他の全ての特徴量検出用センサによる特徴量検出値が所定値以上となるように、これらの特徴量検出用センサを配置しておき、検査対象の紙葉類を走査させながら、上記のように配置された各特徴量検出用センサによって検査対象の紙葉類の特徴量を検出させ、全ての特徴量検出用センサによる特徴量検出値が同時に所定値以上となれば、当該検査対象の紙葉類を本物であると判定することを特徴とする。
【０００９】
この発明による第２の紙葉類の真偽判定方法は、本物の紙葉類を走査させながら複数の特徴量検出用センサによって紙葉類の特徴量を検出させた場合において、所定の第１の特徴量検出用センサによる特徴量検出値が所定値以上になるタイミングのうち、所定番目のタイミングにおいて、他の全ての特徴量検出用センサによる特徴量検出値が所定値以上となるように、これらの特徴量検出用センサを配置しておき、検査対象の紙葉類を走査させながら、上記のように配置された各特徴量検出用センサによって検査対象の紙葉類の特徴量を検出させ、上記第１の特徴量検出用センサによる特徴量検出値が所定値以上になるタイミングのうち、上記所定番目のタイミングにおいて、他の全ての特徴量検出用センサによる特徴量検出値が同時に所定値以上となれば、当該検査対象の紙葉類を本物であると判定することを特徴とする。
【００１０】
【発明の実施の形態】
以下、図面を参照して、この発明の実施の形態について説明する。
【００１１】
図１および図２は、検査対象紙幣および検査対象紙幣の特徴量を読み取るためのセンサを示している。
【００１２】
この例では、説明の便宜上、特徴量検出用センサは２つとし、かつそれらのセンサは検査対象紙幣の幅中央位置の特徴量を検出するように配置されている場合について説明する。
【００１３】
検査対象紙幣１は、図示しない検査装置に投入され、矢印の方向に搬送されるものとする。検査装置の所定位置に、２つの特徴量検出用センサ１１、１２が設けられている。各センサ１１、１２としては、たとえば、投光器１１ａ、１２ａと、受光器１１ｂ、１２ｂとからなる光透過型センサが用いられている。光透過型センサ１１ａ、１１ｂは、検査対象紙幣１におけるラインＬに沿って、検査対象紙幣１の特徴量（光透過率）を検出する。
【００１４】
特徴量検出用センサ１１、１２は、本物の紙幣を走査させながら本物の紙幣の特徴量を検出させた場合において、一方の特徴量検出用センサ（以下、第１センサという）１１の特徴量検出信号波形がピークになったときに、他方の特徴量検出用センサ（以下、第２センサという）１２による特徴量検出信号波形がピークとなるように配置されている。
【００１５】
この例では、第１センサ１１の特徴量検出信号波形の３番目のピークが現れたときに、第２センサ１２による特徴量検出信号波形がピークとなるように配置されている。この例では、第１センサ１１と第２センタとの走査方向間隔がｄに設定されている。
【００１６】
図３は、真偽判定処理手順を示している。
【００１７】
まず、被検査紙幣１を走査させることにより、各センサ１１、１２により、ラインＬに沿って特徴量（光透過率）を検出する（ステップ１）。
【００１８】
図４は、検査対象紙幣の搬送速度が基準速度である場合の第１センサ１１の特徴量検出信号波形と、第２センサ１２の特徴量検出信号波形とを示している。
【００１９】
両センサ１１、１２の特徴量検出信号波形に基づいて、第１センサ１１の特徴量検出信号波形の３番目のピークが検出されたときに、第２センサ１２の特徴量検出信号波形がピークであるか否かを判定する（ステップ２）。
【００２０】
第１センサ１１の特徴量検出信号波形の３番目のピークが現れたときに、第２センサ１２の特徴量検出信号波形がピークであると判定した場合には、当該検査対象紙幣を本物であると判定する（ステップ３）。
【００２１】
第１センサ１１の特徴量検出信号波形の３番目のピークが現れたときに、第２センサ１２の特徴量検出信号波形がピークでないと判定した場合には、当該検査対象紙幣を偽物であると判定する（ステップ４）。
【００２２】
図５は、図４と同じ紙幣を検査対象紙幣として用い、検査対象紙幣の搬送速度が途中で変化した場合の第１センサ１１の特徴量検出信号波形と、第２センサ１２の特徴量検出信号波形とを示している。
【００２３】
第１センサ１１の特徴量検出信号波形のピークの間隔および第２センサ１２による特徴量検出信号波形のピーク間隔は、図４の第１センサ１１の特徴量検出信号波形のピークの間隔および第２センサ１２の特徴量検出信号波形のピーク間隔とそれぞれ異なっているが、第１センサ１１の特徴量検出信号波形の３番目のピークが現れたときに、第２センサ１２の特徴量検出信号波形がピークとなることには変わりがない。
【００２４】
したがって、上記のような真偽判定方法によれば、検査対象紙幣が本物である場合には、検査対象紙幣の搬送速度が基準速度と異なっている場合にも、第１センサ１１の特徴量検出信号波形の３番目のピークが現れたときに、第２センサ１２の特徴量検出信号波形がピークとなるので、正確な真偽判定を行うことができる。
【００２５】
特徴量検出用センサとしては光透過型センサが用いられているが、光反射型センサ、磁気センサ等の他のセンサを用いることができる。また、特徴量検出用センサは、２個設けられているが３個以上設けてもよい。さらに、複数の特徴量検出用センサを、紙幣の走査方向に一直線状に配置する必要はない。
【００２６】
ただし、本物の紙幣を走査させながらこれらの複数の特徴量検出用センサによって紙幣の特徴量を検出させた場合において、１つの特徴量検出用センサによる特徴量検出信号波形がピークになったときに、他の全ての特徴量検出用センサによる特徴量検出信号波形がピークとなるようにこれらの特徴量検出用センサを配置しておく必要がある。
【００２７】
【発明の効果】
この発明によれば、検査対象の紙葉類の走査速度が基準速度と異なっていても、正確な真偽判定が行えるようになる。
【図面の簡単な説明】
【図１】検査対象紙幣および検査対象紙幣の特徴量を読み取るためのセンサを示す側面図である。
【図２】図１の平面図である。
【図３】紙幣の真偽判定処理手順を示すフローチャートである。
【図４】検査対象紙幣の搬送速度が基準速度である場合の第１センサの特徴量検出信号波形と、第２センサの特徴量検出信号波形とを示すタイムチャートである。
【図５】図４と同じ紙幣を検査対象紙幣として用い、検査対象紙幣の搬送速度が途中で変化した場合の第１センサの特徴量検出信号波形と、第２センサの特徴量検出信号波形とを示すタイムチャートである。
【図６】検査対象紙幣の搬送速度が基準速度である場合、基準速度と異なる場合の、特徴量検出用センサの特徴量検出信号波形を示すタイムチャートである。
【符号の説明】
１１、１２  特徴量検出用センサ
【図１】
0003540684.tif 000002
【図２】
0003540684.tif 000003
【図３】
0003540684.tif 000004
【図４】
0003540684.tif 000005
【図５】
0003540684.tif 000006
【図６】
0003540684.tif 000007